【事件の表示】
　特願２００３−　　　４２０「ボール打撃面構造体」拒絶査定不服審判事件〔平成１６年　７月２９日出願公開、特開２００４−２０９０３５〕について、次のとおり審決する。
【結　論】
　本件審判の請求は、成り立たない。
【理　由】
第１　手続の経緯　
　本願は、平成１５年１月６日の出願であって、平成１８年５月２９日に手続補正がなされ、同年１０月２７日付けで拒絶査定がなされ、これに対して、平成１９年１月１０日に拒絶査定不服審判が請求されるとともに、同年２月６日に手続補正がなされ、当審において、平成１９年２月６日付け手続補正が平成２１年９月３０日付けで却下されるとともに、同日付けで拒絶の理由（以下「当審拒絶理由」という。）が通知され、同年１２月４日に手続補正がなされたものである。
　
第２　本願発明
　本願の請求項１係る発明（以下「本願発明」という。）は、平成２１年１２月４日付け手続補正により補正された明細書及び図面の記載からみて、その特許請求の範囲の請求項１に記載されたとおりの次のものである。　
「ゴルフ練習場（Ｅ）のボール打撃場所（Ｓ）近傍に形成した凹所（１）と、該凹所（１）に嵌込み取出し自在に嵌込まれると共に箱体（３）に土（４）を収納して該土（４）に天然芝（２）を植えたゴルフ練習マット（Ｍ）と、から構成され、上記凹所（１）はボール打撃の方向に細長状の平面視矩形であって、上記箱体（３）が、平面視矩形でかつ上方開口状に形成されているとともに、長辺（７）（７）側の側壁（８）（８）の前端縁部内面と、底壁（９）の前端縁部の上面にわたって、連続状に前凹溝（10）が形成されて、短辺（５）側の前方側壁（６ａ）は上下スライド自在に該前凹溝（10）に係止して着脱自在とされ、かつ、長辺（７）（７）側の上記側壁（８）（８）の後端縁部内面と、上記底壁（９）の後端縁部の上面にわたって、連続状に後凹溝（11）が形成されて、短辺（５）側の後方側壁（６ｂ）は上下スライド自在に該後凹溝（11）に係止して着脱自在とされ、少なくとも上記前方側壁６ａを取外して、上記凹所（１）に上記ゴルフ練習マット（Ｍ）が嵌込み取出し自在に嵌込まれ、上記凹所（１）の平面視形状及び深さ寸法（Ｈ）を、上記ゴルフ練習マット（Ｍ）の平面視形状及び厚さ寸法（Ｔ）に、略等しく設定して、上記凹所（１）に上記ゴルフ練習マット（Ｍ）を嵌込んだ状態で上記ゴルフ練習マット（Ｍ）の上記天然芝（２）の生え際（２ａ）が、上記凹所（１）の周辺の上記ボール打撃場所（Ｓ）近傍の地面（Ｊ）と略連続平坦面状となるように構成し、しかも、上記箱体（３）の底壁（９）・前方側壁（６ａ）・後方側壁（６ｂ）・長辺（７）側の側壁（８）（８）の各々には、水はけ用の複数の穴（12）が、貫設され、かつ、上記短辺（５）側の側壁（６ａ）（６ｂ）の外面に、プレーヤーの名前（Ｎ１ ）又はプレーヤーの識別番号（Ｎ２ ）を表示したことを特徴とするボール打撃面構造体。」
　
第３　引用例
　当審拒絶理由で引用された本願の出願前に頒布された刊行物である特開昭５２−３８３３９号公報（以下「引用例」という。）には、図とともに次の事項が記載されている。（下線は審決で付した。以下同じ。）
１　「２．特許請求の範囲
（１）予じめ方形の二段枠函１内に養生しておいた芝草を、該函から内枠３を外した状態で、基体上に敷き並べて成るゴルフテイグランド
（２）
通水・通気性ある底面２１と、側壁２２とから成る方形函状の外枠２と、該側壁に内挿されるものであつて、外枠側壁上面２２’よりも上面が突出する高さを有する側壁のみの内枠３より成る芝養生用二段枠函
（３）芝草が損傷した部分の芝草函体を、外枠ごとテイグランドから除脱し、予じめ養生しておいた健全な芝草函体を嵌め込み交換することを特徴とするテイグランドの管理法」（１頁下左欄４〜１６行）
　
２　「本発明は、このような要望に応える為に為されたものであつて、
プレイ、シヨツト、踏圧ないしは病虫害などによつて損傷した芝草
１
シヨツトグランドを構成する
　養生函はその中に用土を入れて芝草を育成するためのもので、添付第１図に示したように、外枠２と、これに内挿される内枠３とから成つており、外枠２は第２図に示したように比較的浅い側壁２２と、
通水・通気性（以下通気性と略）
浅く
内枠３を取り外して基体上に敷き並べて構成したテイグランドでシヨツトを行つたとき、クラブが外枠に当ることがないようにする
外枠２は少なくとも底面２１が通気性あることを要する
側壁２２および内枠３は必ずしも通気性あるを要しない
芝草の養生の為に必要とされる
このような養生函の形状は、…略…
長方形
　
３　「養生函の大きさには特に限定はないが、代表的な寸法として、外枠は内ノリでタテ２７×ヨコ５４×タカサ３ｃｍ、
底面に直径４ｍｍの通気孔が７８ケ設けられ
　
養生函内に芝草を育成
用土４を入れて常法通り芝草を植え込み、圃場に並べて灌水、刈り込み、施肥、病虫害の駆除等を行
　このようにして育成した函内の芝草により、テイグランドを構成するには、該養成函から内枠３だけを取り外し、
基体であるゴルフ場
所定位置
プレイの障害
外枠２２の上端２２’は
地表面下４ｃｍにあり、芝上面から約６ｃｍにあるから、テイシヨツトするクラブがそれに当ることはない
地表上に用土の厚さ（この場合７ｃｍ）に外枠２の底板２１の厚さ（例えば２ｍｍ）を加えた深さだけ掘り下げてそこに芝草を外枠２ごと嵌め込めば、その表面は地表面と面一となる
　このように構成されたテイグランドによる利点は、第６図に示したように、
シヨツト・踏圧・病虫害によつて損傷した芝草部分５だけを、その外枠と共に手鉤ないしは小型な熊手などで引き剥し、別途用意しておいた養生函から内枠だけを取りはずして、その芝草を外枠と共に前記引き剥し部分に嵌め込むことができる
損傷された外枠上の芝草に対しては、内枠を嵌め込んで、即ち、もとの形態に戻して圃場の適当な場所に移動させて一括休養・保護し、その回復を待つて次の交換に供することができる
　
４　「本発明テイグランドは
ゴルフ場・家庭の庭など
　
５　上記３の記載事項に関し、「地表上」に「掘り下げ」て、「芝草を外枠２ごと嵌め込」む場所である「そこ」とは、「凹所」というべき場所である。
　
６　第４図の記載から、養生函の表面は、深い内枠（３）を内挿した状態の芝養生用二段枠函（１）の表面であるとともに、該芝養生用二段枠函（１）内に入れた用土（４）の表面でもあることが見て取れる。
　
７　上記１ないし６から、引用例には、
「少なくとも底面が芝草の養生の為に通水・通気性あることを要し、通気孔が７８ケ設けられた底面と必ずしも通水・通気性あるを要しない側壁とから成る長方形函状の浅い外枠と、該側壁に内挿されるものであつて、外枠側壁上面よりも上面が突出する高さを有する必ずしも通水・通気性あるを要しない側壁のみの深い内枠より成り、ショットを行ったとき、クラブが前記外枠に当たることがないようにする為に浅い外枠と深い内枠にした芝養生用二段枠函内に、用土を入れて常法通り芝草を植え込み、圃場に並べて灌水、刈り込み、施肥、病虫害の駆除等を行って芝草を育成した養生函と、
　ゴルフ場・家庭の庭などの地表上に、前記用土の厚さに前記外枠の底板の厚さを加えた深さだけ掘り下げた凹所とから成るショットグランドの構成であって、
　前記凹所に、芝草を育成した前記養生函を、前記内枠を取り外して前記外枠ごと嵌め込み、該養生函の用土表面を前記地表面と面一となし、かつ、前記外枠の上端が地表面下４ｃｍ、芝上面から約６ｃｍ下になるようにして、ティショットするクラブが前記外枠の上端に当ることがないようにするとともに、
　プレイ、ショット、踏圧ないしは病虫害などによって損傷した芝草を外枠と共に引き剥し、別途用意しておいた養生函から内枠だけを取りはずして、その芝草を外枠と共に前記引き剥し部分に嵌め込むことができるようにし、
　損傷された外枠上の芝草に対しては、内枠を嵌め込んで、即ち、もとの形態に戻して圃場の適当な場所に移動させて一括休養・保護し、その回復を待って次の交換に供することができるようにしたショットグランドの構成。」の発明（以下「引用発明」という。）が記載されているものと認められる。
　
第４　対比
　本願発明と引用発明とを対比する。
１　引用発明の「『芝草を育成した養生函』と、『ゴルフ場・家庭の庭などの地表上に、前記用土の厚さに前記外枠の底板の厚さを加えた深さだけ掘り下げた凹所』とから成るショットグランド」は、「プレイ」、「ショット」を行う場所であって、ゴルフの練習ができる場所であることが明らかであるから、「ゴルフ練習場」といえる。
　
２　引用発明の「通気孔が７８ケ設けられた」、「底板」、「『ショットグランド』の『凹所』」、「『損傷した芝草を外枠と共に引き剥し』できるように『嵌め込み』」、「芝養生用二段枠函」、「用土」、「入れて」、「芝草」、「植え」、「芝草を育成した養生函」、「『側壁のみの深い内枠』を『底面』と『側壁』とから成る『長方形函状の浅い外枠』の『該側壁に内挿』したものの形状」、「『該（外枠の）側壁に内挿される』ものであつて、『取り外し』される」、「取り外して」、「『嵌め込み』かつ『引き剥し』」、「前記用土の厚さに前記外枠の底板の厚さを加えた深さ」、「養生函の用土表面」、「地表面」、「前記凹所に、芝草を育成した前記養生函を、前記内枠を取り外して前記外枠ごと嵌め込み、該養生函の用土表面を前記地表面と面一となし」及び「ショットグランドの構成」は、それぞれ、本願発明の「水はけ用の複数の穴（12）が、貫設され」、「底壁（９）」、「ボール打撃場所（Ｓ）近傍に形成した凹所（１）」、「嵌込み取出し自在に嵌込まれる」、「箱体（３）」、「土（４）」、「収納して」、「天然芝（２）」、「植え」、「ゴルフ練習マット（Ｍ）」、「平面視矩形でかつ上方開口状」、「着脱自在」、「取外して」、「嵌込み取出し自在に嵌込まれ」、「『厚さ寸法（Ｔ）に、略等しく設定し』た『深さ寸法（Ｈ）』」、「天然芝（２）の生え際（２ａ）」、「上記凹所（１）の周辺の上記ボール打撃場所（Ｓ）近傍の地面（Ｊ）」、「上記凹所（１）に上記ゴルフ練習マット（Ｍ）を嵌込んだ状態で上記ゴルフ練習マット（Ｍ）の上記天然芝（２）の生え際（２ａ）が、上記凹所（１）の周辺の上記ボール打撃場所（Ｓ）近傍の地面（Ｊ）と略連続平坦面状となる」及び「ボール打撃面構造体」に相当する。
　
３　引用発明の「内枠」は、「箱体（３）（芝養生用二段枠函）」を構成する「底面と側壁とから成る長方形函状の浅い外枠」の「側壁」に内挿されるものであって、その「側壁」は、「外枠側壁上面よりも上面が突出する高さ」を有するものであり、「側壁のみ」のものであるから、引用発明の「内枠」は、「平面視矩形でかつ上方開口状に形成されている箱体（３）」の「両短辺及び両長辺の側壁」を構成するものといえるとともに、引用発明の「箱体（３）の両短辺の側壁」は、引用発明の「箱体（３）（芝養生用二段枠函）」が「着脱自在に有し」ているものであるといえる。してみると、引用発明の「前記凹所に、芝草を育成した前記養生函を、前記内枠を取り外して前記外枠ごと嵌め込み」との事項と本願発明の「上記箱体（３）が、平面視矩形でかつ上方開口状に形成されているとともに、長辺（７）（７）側の側壁（８）（８）の前端縁部内面と、底壁（９）の前端縁部の上面にわたって、連続状に前凹溝（10）が形成されて、短辺（５）側の前方側壁（６ａ）は上下スライド自在に該前凹溝（10）に係止して着脱自在とされ、かつ、長辺（７）（７）側の上記側壁（８）（８）の後端縁部内面と、上記底壁（９）の後端縁部の上面にわたって、連続状に後凹溝（11）が形成されて、短辺（５）側の後方側壁（６ｂ）は上下スライド自在に該後凹溝（11）に係止して着脱自在とされ、少なくとも上記前方側壁６ａを取外して、上記凹所（１）に上記ゴルフ練習マット（Ｍ）が嵌込み取出し自在に嵌込まれ」との事項とは、「上記箱体が、平面視矩形でかつ上方開口状に形成されているとともに、短辺側の前方側壁は着脱自在とされ、かつ、短辺側の後方側壁は着脱自在とされ、少なくとも上記前方側壁を取外して、上記凹所に上記ゴルフ練習マットが嵌込み取出し自在に嵌込まれ」との点で一致する。
　
４　引用発明において、「箱体（芝養生用二段枠函）」の外枠の底面は外枠の底板の上面から構成されていることが当業者に自明であるから、通気孔が７８ケ設けられた底面を構成する底板には、７８ケの通気孔が貫設されていることは明らかである。よって、引用発明の「外枠の底板に７８ケの通気孔が貫設されている」事項と本願発明の「上記箱体（３）の底壁（９）・前方側壁（６ａ）・後方側壁（６ｂ）・長辺（７）側の側壁（８）（８）の各々には、水はけ用の複数の穴（12）が、貫設され」との事項とは「上記箱体の底壁に、水はけ用の複数の穴が、貫設され」との点で一致する。
　
５　上記１ないし４からみて、本願発明と引用発明とは、
「ゴルフ練習場のボール打撃場所近傍に形成した凹所と、該凹所に嵌込み取出し自在に嵌込まれると共に箱体に土を収納して該土に天然芝を植えたゴルフ練習マットと、から構成され、上記箱体が、平面視矩形でかつ上方開口状に形成されているとともに、短辺側の前方側壁は着脱自在とされ、かつ、短辺側の後方側壁は着脱自在とされ、少なくとも上記前方側壁を取外して、上記凹所に上記ゴルフ練習マットが嵌込み取出し自在に嵌込まれ、上記凹所の深さ寸法を、上記ゴルフ練習マットの厚さ寸法に、略等しく設定して、上記凹所に上記ゴルフ練習マットを嵌込んだ状態で上記ゴルフ練習マットの上記天然芝の生え際が、上記凹所の周辺の上記ボール打撃場所近傍の地面と略連続平坦面状となるように構成し、しかも、上記箱体の底壁に、水はけ用の複数の穴が、貫設されたボール打撃面構造体。」である点で一致し、次の点で相違する。
　
相違点１：
　本願発明では、前凹所が、ボール打撃の方向に細長状の平面視矩形であって、その平面視形状を、前記ゴルフ練習マットの平面視形状に略等しく設定しているのに対して、引用発明では、前記凹所がそのようになっていない点。
　
相違点２：
　前記箱体が、本願発明では、長辺側の側壁の前端縁部内面と、底壁の前端縁部の上面にわたって、連続状に前凹溝が形成されて、短辺側の前方側壁は上下スライド自在に該前凹溝に係止して着脱自在とされ、かつ、長辺側の上記側壁の後端縁部内面と、上記底壁の後端縁部の上面にわたって、連続状に後凹溝が形成されて、短辺側の後方側壁は上下スライド自在に該後凹溝に係止して着脱自在とされているのに対して、引用発明では、そのような凹溝は形成されておらず、短辺側の前方側壁及び後方側壁は側壁のみの深い内枠の一部として着脱自在とされている点。
　
相違点３：
　本願発明において、前記箱体には、その底壁・前方側壁・後方側壁・長辺側の側壁の各々に、水はけ用の複数の穴が貫設されているのに対して、引用発明において、前記箱体には、その底壁に複数の穴が貫設されているものの、その前方側壁・後方側壁・長辺側の側壁の各々は必ずしも水はけ用の複数の穴が貫設されること（通水・通気性ある）を要しない点。
　
相違点４：
　本願発明では、前記短辺側の側壁の外面に、プレーヤーの名前又はプレーヤーの識別番号を表示したのに対して、引用発明ではそのような表示をしていない点。
　
第５　判断
　上記相違点１ないし４について検討する。
１　相違点１について
（１）「ゴルフ練習場の床面、地面或いはゴムマット面に掘設した長方形の凹所内へ、長方形の箱体内へ土を敷き詰め芝を植設した天然芝マットを交換可能に嵌め込んで、ゴルフのスイング練習用に供するゴルフのスイング練習構造において、前記凹所は、その平面形状が前記長方形の箱体がすっぽりと納まる長方形の平面形状であって、該長方形の凹所の細長い方向が前記スイングの方向になっているもの」は、本願出願前に周知である（以下「周知技術１」という。例．特開平８−８９６１０号公報（平成１８年４月４日付け拒絶理由通知で通知済みのもの。【０００１】〜【０００４】、【００１５】〜【００１７】、【００１８】〜【００４２】、図１、図２及び図４〜図９参照。「凹状施設部」、「芝植えトレイ４ａ」及び「床土」が、それぞれ、「凹所」、「箱体」及び「土」に相当する。【００１９】の記載及び図１から、横長形状の凹状施設部２ａがゴルフのショット方向と平行になることが分かる。）、当審拒絶理由で引用した特開平３−９９６７８号公報（第１図〜第４図、２頁左上欄３行〜同頁右下欄下から３行参照。「ピット」及び「交換式芝生盤」が、それぞれ、「凹所」及び「天然芝マット」に相当する。第４図から、長方形のピットの細長い方向がゴルフのスイングの方向になっていることが見てとれる。）、特開２０００−１４０１８０号公報（【０００１】〜【００２５】、【００２９】〜【００３１】、図１及び図２参照。「凹部」、「ケース枠」、「土壌」、「芝生」及び「芝生カートリッジ」が、それぞれ、「凹所」、「箱体」、「土」、「芝」及び「天然芝マット」に相当する。図１から、凹部２１は長方形であって、フットポジションを示すマーキング２２の位置から、長方形の凹部２１の細長い方向がゴルフのスイングの方向になっていることが見てとれる。））。
（２）引用発明において、「ゴルフ練習マット（芝草を育成した養生函）」を嵌め込んでプレイ、ショットを行う「ボール打撃場所」に凹所を形成する際に、その凹所の平面形状を長方形の箱体がすっぽりと納まる長方形の平面形状（すなわち、細長状の平面視矩形）とし、該長方形の凹所の細長い方向がプレイ、ショットのスイングの方向になるようにして、地面に長方形の凹所を掘設し、「長方形函状」であることからして細長状の平面視矩形である箱体に、土を収納して該土に天然芝を植えた「ゴルフ練習マット」と組み合わせて、ゴルフ練習場のボール打撃面構造体（ゴルフのスイング練習構造）となし、その長方形の凹所内へ、前記「ゴルフ練習マット」を交換可能に嵌め込んで、ゴルフのスイング練習用に供することは、当業者が周知技術１に基づいて容易に想到することができた程度のことである。
（３）したがって、引用発明において、上記相違点１に係る本願発明の構成となすことは、当業者が周知技術１に基づいて容易に想到することができた程度のことである。
　
２　相違点２について
（１）平面視矩形でかつ上方開口状に形成されているとともに、長辺側の側壁の一端縁部内面と、底壁の一端縁部の上面にわたって、連続状に第１凹溝が形成されて、短辺側の第１側壁は上下スライド自在に該第１凹溝に係止して着脱自在とされ、かつ、長辺側の側壁の他端縁部内面と、上記底壁の他端縁部の上面にわたって、連続状に第２凹溝が形成されて、短辺側の第２側壁は上下スライド自在に該第２凹溝に係止して着脱自在とされている箱体は、本願出願前に周知である（以下「周知技術２」という。例．特開平８−２４４１４１号公報（【００２７】、図１０〜図１２参照。）、特開平８−３１８９４０号公報（【００２３】、図１〜図４参照。））。
（２）引用発明において、凹所に「ゴルフ練習マット（芝草を育成した養生函）」を嵌め込む際内枠を取り外すのは、クラブが枠に当たらないようにするためであるところ、引用発明において、「ゴルフ練習マット」を嵌め込んでプレイ、ショットを行う「ボール打撃場所」に凹所を形成する際に、その凹所の平面形状を長方形の箱体がすっぽりと納まる長方形の平面形状とし、該長方形の凹所の細長い方向がプレイ、ショットのスイングの方向になるようにして、地面に長方形の凹所を掘設し、「箱体に土を収納して該土に天然芝を植えたゴルフ練習マット」と組み合わせてゴルフ練習場のボール打撃面構造体（ゴルフのスイング練習構造）となす（上記１（２）参照。）際に、スイングによりクラブが当たりやすい側壁はスイング方向に交差するスイング方向前後の短辺側の側壁であることから、長辺側の側壁の前端縁部内面と、底壁の前端縁部の上面にわたって、連続状に前凹溝を形成し、短辺側の前方側壁を上下スライド自在に該前凹溝に係止して着脱自在とし、かつ、長辺側の上記側壁の後端縁部内面と、上記底壁の後端縁部の上面にわたって、連続状に後凹溝を形成し、短辺側の後方側壁を上下スライド自在に該後凹溝に係止して着脱自在となし、短辺側の前方側壁及び後方側側壁を取り外し可能にして、スイングによりクラブが当たりやすい短辺側の前方側壁及び後方側側壁を取り外して「ゴルフ練習マット」を凹所に嵌め込むようにすることは、当業者が、周知技術２に基づいて容易に想到することができた程度のことである。
（３）したがって、引用発明において、上記相違点２に係る本願発明の構成となすことは、当業者が、周知技術２に基づいて容易になし得た程度のことである。
　
３　相違点３について
（１）引用発明において、その底壁に複数の穴が貫設されているのは、芝草の養生の為に必要とされるのであって、底面２１が通水・通気性あることを要するからであるが、側壁２２および内枠３は必ずしも通水・通気性あるを要しない（上記「第３　２」参照。）ところ、更に通水・通気性を良くするために、前方側壁・後方側壁・長辺側の側壁の各々にも、水はけ用の複数の穴を貫設するようになすことは、当業者が適宜なし得た設計上の事項である（例えば、特開昭６４−５４２７号公報の第１図に記載の筺体４では、側壁となる枠板３の下方部３Ｂに穴１１があけられている。）。
（２）したがって、引用発明において、上記相違点３に係る本願発明の構成となすことは、当業者が当業者が適宜なし得た程度のことである
　
４　相違点４について
（１）複数の人それぞれの専用の道具にそれぞれの人の名前やその人の道具であることを識別できる番号などを表示してその人の道具であることが分かるようにすることは、常套手段であるといえる。
（２）引用発明の「ゴルフ練習マット」について、複数のユーザーそれぞれの専用のものを用意し（例えば、上記特開平８−８９６１０号公報の【００１２】、【００１６】、【００２６】、【００３６】には「天然芝マット」を専用のものにすることが記載されている。）、それぞれのユーザーの名前やそのユーザーの練習マットであることを識別できる番号を表示してそのユーザー専用のゴルフ練習マットであることが分かるようにすることは、当業者が、上記（１）の常套手段に基づいて容易に想到することができたことである。
（３）また、箱体に名前又は識別番号を表示する際に、どこに表示するかは表示する者又は箱体の所有者が適宜決定すべき事項であるというべきところ、見やすさからみて、箱体の側壁外面に表示するのが良いことは当業者に自明の事項である。そこで、引用発明の「ゴルフ練習マット」にそれぞれのユーザーの名前やそのユーザーの練習マットであることを識別できる番号を表示してそのユーザー専用のゴルフ練習マットであることが分かるようにする（上記（２）参照。）際に、箱体の短辺側の側壁の外面に表示することは、当業者が適宜なし得た程度のことである（例えば、実願昭６２−１１５８６９号（実開昭６４−２３０７０号）のマイクロフィルム（平成１８年４月４日付け拒絶理由通知で通知済みのもの。）の第１図及び第２図の記載から、ラベルａが育苗箱ｆの短辺側の側壁の外面に表示されていることが見てとれる。）。
　
５　効果について
　本願発明の奏する効果は、引用発明の奏する効果、周知技術１の奏する効果、周知技術２の奏する効果及び常套手段の奏する効果から、当業者が予測することができた程度のことである。
　
６　まとめ
　したがって、本願発明は、当業者が、引用例に記載された発明、周知技術１、周知技術２及び常套手段に基づいて容易に発明をすることができたものである。
　
第６　むすび
　以上のとおり、本願発明は、当業者が、引用例に記載された発明、周知技術１、周知技術２及び常套手段に基づいて容易に発明をすることができたものであるから、特許法第２９条第２項の規定により特許を受けることができない。
　よって、結論のとおり審決する。